(57)【要約】【課題】場所を取らずに手摺りを一体化させて設置できるシャワー装置を提供する。【解決手段】本体パネル２の側面２ｂまたは前面２ａと側面２ｂの交差するコーナーから斜めに突出させて縦手摺り４を設けて構成する。【選択図】図１
2007167286.tif 000002
【特許請求の範囲】
【請求項１】
給水給湯の配管を内蔵したシャワー本体の右左側面または側面コーナーから斜め前方に縦手摺りを取り付けたことを特徴とするシャワー装置。
【請求項２】
前記縦手摺り下部から連続的に横手摺りを設けたことを特徴とする請求項１に記載のシャワー装置。
【発明の詳細な説明】
【技術分野】
【０００１】
本発明は、使い勝手の良好なシャワー装置に関するものである。
【背景技術】
【０００２】
従来、特許文献１に開示されているような、手摺りの動作スペースを確保できるシステムシャワー装置が存在する。
【特許文献１】特開２００３−２０７０１号公報
【発明の開示】
【発明が解決しようとする課題】
【０００３】
特許文献１に開示されているようなシャワー装置では、大きな設置スペースが必要となり、また、複雑な外形のため掃除がしにくいという問題点があった。
【課題を解決するための手段】
【０００４】
本発明は上記従来の問題点に鑑み案出したものであって、スリムで場所を取らず、狭い空間にも設置できる使用勝手の良好なシャワー装置を提供せんとするものであり、その請求項１は、給水給湯の配管を内蔵したシャワー本体の右左側面または側面コーナーから斜め前方に縦手摺りを取り付けたことである。
また、請求項２は、前記縦手摺り下部から連続的に横手摺りを設けたことである。
【発明の効果】
【０００５】
本発明のシャワー装置は、給水給湯の配管を内蔵したシャワー本体の右左側面または側面コーナーから斜め前方に縦手摺りを取り付けたことにより、縦手摺りは斜めに突出させて本体パネルに取り付けられているため、縦手摺りの前方側への突出を少なくして、コンパクトに縦手摺りを本体パネルから離れた位置にレイアウトすることができ、本体パネルの使い勝手を損なうことなく手摺りが握りやすく、使用勝手が良好なものとなる。
【０００６】
また、前記縦手摺り下部から連続的に横手摺りを設けたことにより、縦手摺りに連続的に横手摺りを設けて、この横手摺りを、立ち上がり時または伝い歩き時に有効利用することができるものとなる。
【実施例】
【０００７】
以下、本発明の実施例を図面に基づいて説明する。
図１は、シャワー装置の斜視構成図であり、シャワー装置１は、浴室やシャワールームの壁面に取り付けられる本体パネル２を備え、この本体パネル２は、前面２ａの左右両端側から壁面側へ折り曲げた側面２ｂ，２ｂを有する四角柱状に形成されている。
この本体パネル２の前面２ａと側面２ｂの交差する側面コーナー部から斜め前方側へ突出して上突出アーム３ａと下突出アーム３ｂが、それぞれ本体パネル２の上端側および下端側から突出形成されており、この上下の突出アーム３ａ，３ｂ間に、本体パネル２と平行状に縦手摺り４が縦設されたものとなっている。
なお、図２は、図１のシャワー装置の平面構成図である。
【０００８】
また、この縦手摺り４には、上下方向に位置調節可能にシャワーフック５が横方向へ突出して設けられており、このシャワーフック５にはハンドシャワー６を掛止することができ、ハンドシャワー６に接続されたシャワーホース６ａを縦手摺り４の外側に邪魔にならないように配置することができるように構成されている。
【０００９】
また、本体パネル２には、タッチパネル式の操作パネル７が設けられており、この操作パネル７を指で押して操作できるように構成されている。操作パネル７の下方にはマッサージ吐水口８が埋め込み状に設けられており、このマッサージ吐水口８からマッサージ用の噴水を噴出させることができるように構成されている。
【００１０】
また、操作パネル７の上方の本体パネル２の前面２ａには、鏡１０が取り付けられている。さらに本体パネル２の下端には首振り可能に水栓吐水口９が設けられている。さらに本体パネル２の上端には鶴首式のシャワー吐水口１１が設けられており、このシャワー吐水口１１からシャワー吐水できるように構成されている。
また、本体パネル２の縦手摺り４と反対側の側面には、収納棚１２が設けられている。
【００１１】
このような構成では、本体パネル２に対し縦手摺り４が上下の突出アーム３ａ，３ｂを介し斜め方向に突出して配置されているため、縦手摺り４の前方側への突出量を少なくして、シャワー装置１の前方側の空間を広く確保することができるものとなり、また、本体パネル２の壁面からの突出量を少ない寸法にしても、良好に縦手摺り４は壁面から離れた位置に配置されるため、この縦手摺り４は握りやすいものとなり、使い勝手が良好なものとなる。
【００１２】
また、この縦手摺り４を利用してハンドシャワー６を掛止することができ、ハンドシャワー６を邪魔にならない位置に良好に配置させることができるものとなる。また、マッサージ吐水口８および水栓吐水口９およびシャワー吐水口１１を本体パネル２に設けることで、使い勝手が良好なものとなり、さらにコンパクトに収納棚１２を設けてシャワー装置１全体をスリム化させて、場所を取ることなく狭い空間にも設置できるものとなり、それぞれの部材の使用動作が妨げられることがなく、使い勝手が良好なものとなる。
【００１３】
なお、本体パネル２の上端にはシャワー吐水口１１の代わりに照明を設置しても良く、また、鏡１０を取り付ける代わりに、本体パネル２の前面２ａを鏡面仕上げして、本体パネル２の前面２ａそのものが鏡として機能するように構成することもでき、よりスッキリとした使用勝手が良好なシャワー装置１となる。
【００１４】
なお、図３は、図１のシャワー装置の変更例の平面構成図であり、図３のように、本体パネル２の側面２ｂから斜め前方側へ突出して上突出アーム３ａと下突出アーム３ｂを、それぞれ本体パネル２の上端側および下端側から突出形成させ、この上下の突出アーム３ａ，３ｂ間に、本体パネル２と平行状に縦手摺り４を縦設しても良い。
【００１５】
次に、図４は変更例を示すものであり、図４では、図１における縦手摺り４の下端に横方向へ一体状に延出させて横手摺り１４を連続的に設けたものであり、手摺り全体は縦手摺り４と横手摺り１４でＬ字状をなすように形成して、横手摺り１４の先端には壁側へ折り曲げた折り曲がり部１４ａが形成され、この折り曲がり部１４ａの先端の固定部１４ｂを壁面に固定して設置することができるものである。
このような手摺りを設けることにより、横手摺り１４の部分を、立ち上がる時あるいは伝い歩きの時に良好に握って使用することができ、より使い勝手が良好なものとなる。
【００１６】
次に、図５は更なる変更例を示すものであり、図５では、本体パネル２の縦手摺り４と反対側の側面２ｂに、上下方向に間隔をおいて複数の嵌合溝１５，１５，１５，１５を形成させたものであり、この各嵌合溝１５に、収納棚１２から突出形成させた掛止突片１２ａを嵌め込んで嵌合させることにより、本体パネル２の側面２ｂに収納棚１２を着脱可能に取り付けることができるものとなり、しかも複数の嵌合溝１５にそれぞれ収納棚１２を取り付けて、複数段に収納棚１２を設置することもでき、また、適宜嵌め込む嵌合溝１５を選択して、任意の高さに収納棚１２を設置できるものとなる。
【図面の簡単な説明】
【００１７】
【図１】シャワー装置の一例を示す斜視構成図である。
【図２】図１のシャワー装置の平面構成図である。
【図３】図１のシャワー装置の変更例の平面構成図である。
【図４】変更例を示し、横手摺りを連続的に設けた場合の斜視構成図である。
【図５】変更例を示し、収納棚を取り付ける複数の嵌合溝を形成させた場合の斜視構成図である。
【符号の説明】
【００１８】
１  シャワー装置
２  本体パネル
２ａ  前面
２ｂ  側面
３ａ  上突出アーム
３ｂ  下突出アーム
４  縦手摺り
５  シャワーフック
６  ハンドシャワー
６ａ  シャワーホース
７  操作パネル
８  マッサージ吐水口
９  水栓吐水口
１０  鏡
１１  シャワー吐水口
１２  収納棚
１２ａ  掛止突片
１４  横手摺り
１４ａ  折り曲がり部
１４ｂ  固定部
１５  嵌合溝
【図１】
2007167286.tif 000003
【図２】
2007167286.tif 000004
【図３】
2007167286.tif 000005
【図４】
2007167286.tif 000006
【図５】
2007167286.tif 000007